(57)【要約】【課題】  グラウト材の注入過程で液材の滞留などによる配管内の狭窄による流動障害を解消する。【解決手段】  薬液供給装置２０に併設する洗浄水供給装置から洗浄水配管２５を給液分配制御機構３０と接続し、前記給液分配制御機構３０の制御操作によって、所定の注入する時間間隔及び／または選択した注入ポイントでの注入材供給に加えて給液配管並びに注入管吐出部までの洗浄操作を組み込み、前記注入ポイントの注入管への給液配管を薬液材供給から水洗浄に一時的に切換え、高圧水を噴流させて短時間洗浄し、注入地点での地盤内へ所定の注入材注入が確保できるようにして地盤改良操作を継続容易にする。【選択図】図１
2019023417.tif 000002
【特許請求の範囲】
【請求項１】
対象地盤域内の複数箇所に設置した注入管に対し、多点インターバル注入方式で注入材を注入する薬液注入工法にあって、
薬液供給装置に併設する洗浄水供給装置から洗浄水配管を給液分配制御機構と接続し、前記給液分配制御機構の制御操作によって、所定の注入する時間間隔及び／または選択した注入ポイントでの注入材供給に加えて給液配管並びに注入管吐出部までの洗浄操作を組み込み、前記注入ポイントの注入管への給液配管を薬液材供給から水洗浄に一時的に切換え、高圧水を噴流させて短時間洗浄し、注入地点での地盤内へ所定の注入材注入が確保できるようにして地盤改良操作を継続容易にすることを特徴とする薬液注入工法。
【請求項２】
前記給液分配制御機構は、供給する二系統の薬液材を同時に切換作動する一対の分配切換弁を複数配設して供給薬液ごとに相互に連結する１ユニット構成とし、少なくとも１ユニット配置して、制御手段の指令によって選択された注入管への一対の分配切換弁のみが供給を許容するように操作することを特徴とする請求項１に記載の薬液注入工法。
【請求項３】
前記洗浄水供給装置の高圧ポンプから前記給液分配制御機構への給水配管中には、流体を分岐部で二方向にそれぞれ等条件の抵抗を与えて分配する等分配手段を設け、分岐された二系統の管路（配管）に高圧洗浄水を噴流させて供給し、前記給液分配制御機構を介して薬液材の管路の洗浄を行うことを特徴とする請求項１に記載の薬液注入工法。
【請求項４】
前記洗浄水の分岐された両給水配管中に圧力検出手段を設けて、その給水配管内検出圧力値により対応する注入ポイントまでの異常を検知できるようにする請求項１に記載の薬液注入工法。
【請求項５】
薬液供給装置に洗浄水供給装置を併設し、前記薬液供給装置から複数箇所に配置される注入管への薬液供給を分配する給液分配制御機構に等分配手段を介して前記洗浄水供給装置の高圧ポンプから配管接続し、前記給液分配制御機構の制御操作によって選択された注入ポイント（注入管）への二系統の薬液材供給を水洗浄に切換えて高圧水の噴流により配管並びに注入管吐出部までの洗浄を容易にする構成としたことを特徴とする薬液注入工法における配管切換装置。
【請求項６】
前記等分配手段は、高圧ポンプからの吐出流体を二系統に分岐する分岐部に等条件で抵抗を与える差圧発生体が設けてあることを特徴とする請求項５に記載の薬液注入工法における配管切換装置。
【請求項７】
前記差圧発生体としては、絞り口径を同一にした一対の噴射ノズルである請求項５に記載の薬液注入工法における配管切換装置。
【発明の詳細な説明】
【技術分野】
【０００１】  この発明は、軟弱地盤などの地中にグラウト材を注入して対象とする地盤の内下部を圧密強化する地盤改良のための薬液注入を効率よく実施できる薬液注入工法と、その工法を実施するに際しグラウト材を供給するための配管並びに注入管吐出部を合理的に洗浄して円滑な注入操作が実施できるようにした薬液注入配管切換装置に関するものである。
【背景技術】
【０００２】  地盤にグラウト材を注入して地盤の圧密強化を図る手段としては、既に多くの注入技術が知られている。例えば軟弱地盤を強化改良する工法については、地盤中にグラウト材を注入して土壌の圧密度を高め軟弱地盤を強化するほか、土壌の液状化による地盤の不同沈下などを予防する手段として薬液注入工法が広く採用されている。この薬液注入工法では、公知のグラウト材を地盤に貫入した薬液注入管でもって地上から地中に注入し、グラウト材と土壌中の砂粒との結合によって固結体を形成し、その固結体により周辺の土壌を圧密強化して地盤を改良する。【０００３】  このような薬液注入工法を広い範囲で効果的に実施するには、薬液注入管を多点（注入ポイント）に配設して選択した順序でグラウト材の供給を切換えて注入する操作を、所定間隔で巡回して繰り返し行う多点インターバル方式の薬液注入工法が採用されている。この多点インターバル方式の薬液注入工法では、注入するとともにステップアップもしくは多段注入することにより、地中に多段柱状の固結体を造成して地盤の圧密強度を高めるという技術であり、このような技術について特許文献１によって開示されている。【０００４】  しかしながら、複数箇所に注入ポイントを配置して例えば１箇所に設置した薬液供給装置からグラウト材を分配供給する多点インターバル方式で薬液注入する場合には、インターバルでの供給切換弁から各注入ポイントにおける薬液注入管までの配管が長くなり、通常配管としてホースが用いられるので、給液の切換によって供給が短時間での流動・停止の繰り返しで、あるいは湾曲箇所が多くなっている状態では、グラウト材の停滞による凝固現象の発生で流動不良が発生しやすくなるという問題点がある。【０００５】  また、薬液注入管（二重管構造）の先端（吐出部）を出たところでは、インターバル注入による二系統の注入材（Ａ液とＢ液）の供給切換えで、時間の経過とともに混合されたグラウト材が固結して吐出部を閉塞し、その固結するグラウト材の強度上昇のため、継続注入することが困難になるという問題点がある。【０００６】  また、運転中に供給する二系統の注入材（グラウト材）を分配する弁（供給切換弁）が作動不良を起こした場合などで、前記注入材の一部が凝固沈殿して発生する流路狭窄によって流通が停止し運転不能となることがある。このような事態が発生すると、特にホース内を流動する注入材が詰まった場合、凝固した注入材を取り出すことは非常に厄介で、新しいホースと交換しないと運転が行えないという問題点がある。また、前記分配する弁の動作不良に際しても、該当する弁を分解するなどして閉鎖状態を解消するには多くの時間と労力を必要とし、注入作業を中断しなければならず、大きな支障を来すという問題がある。【０００７】  一方、一対の方向切換弁を一組として遠隔操作により作動するように形成された分配手段を複数一連に接続し、二系統の注入材をインターバル方式で注入する注入材の分配供給装置において、前記分配手段に給水配管を併設して水洗浄することができるものが、本出願人の先発明として特許文献２によって知られている。【０００８】  しかしながら、前記特許文献２で知られる装置では、一対の方向切換弁を一組と���て独立した分配手段が複数一連に接続してなる装置で、その各分配手段に給水配管を接続した構成とされているので、注入材用の配管に加えて水配管がそれぞれに接続されることになり、そのために作業現場で配管が輻輳して注入準備作業に支障をきたすという問題点がある。また、洗浄水の供給（洗浄作業）に関しては、現場の作業事情に都度対応するということで、未だ合理化について達成されていない状況にある。
【先行技術文献】
【特許文献】
【０００９】
【特許文献１】特開２０１１−２０８３６０号公報
【特許文献２】特許第５５７４３０８号公報
【発明の概要】
【発明が解決しようとする課題】
【００１０】  本発明では、前述のような問題点を解決するために、注入材を供給する薬液供給装置に洗浄水供給装置を併設して、その洗浄水供給装置から高圧の洗浄水を、注入のための給液分配制御機構の制御操作に連動させて、予め設定した注入の時間間隔で、あるいは選択した注入ポイントへの注入材供給配管に対し供給し、管路並びに注入管先端吐出部までを高圧水で洗浄して管路の閉塞を事前に防止するとともに、注入管先端吐出部での注入材の断続注入に際しての地盤に対する注入容易性を確保することにより、注入材の注入作業を支障なく円滑に行えるようにし、作業効率を向上させて経済性を高め得る薬液注入工法を目的とする。【００１１】  また、前記発明に関連する発明としては、注入ポイントに設置の注入管に対する注入材構成の二種の薬液材供給系統に対し、それぞれの配管系を同時に、かつ効果的に洗浄できるようにするために、洗浄水供給装置の高圧ポンプからの管路に吐出する洗浄水を等条件で送出できる等分配手段を付設し、併せて注入材供給の管路異常を察知できるようにし、迅速・合理的に薬液材の供給管路並びに注入管先端吐出部までの洗浄が実施できる構成とした薬液注入配管切換装置を提供することを目的とする。
【課題を解決するための手段】
【００１２】  前記目的を達成するために、本発明の薬液注入工法は、
対象地盤域内の複数箇所に設置した注入管に対し、多点インターバル注入方式で注入材を注入する薬液注入工法にあって、
薬液供給装置に併設する洗浄水供給装置から洗浄水配管を給液分配制御機構と接続し、前記給液分配制御機構の制御操作によって、所定の注入する時間間隔及び／または選択した注入ポイントでの注入材供給に加えて給液配管並びに注入管吐出部までの洗浄操作を組み込み、前記注入ポイントの注入管への給液配管を薬液材供給から水洗浄に一時的に切換え、高圧水を噴流させて短時間洗浄し、注入地点での地盤内へ所定の注入材注入が確保できるようにして地盤改良操作を継続容易にすることを特徴とする。【００１３】  前記発明において、前記給液分配制御機構は、供給する二系統の薬液材を同時に切換作動する一対の分配切換弁を複数配設して供給薬液ごとに相互に連結する１ユニット構成とし、少なくとも１ユニット配置して、制御手段の指令によって選択された注入管への一対の分配切換弁のみが供給を許容するように操作するのがよい。【００１４】  また、前記発明において、前記洗浄水供給装置の高圧ポンプから前記給液分配制御機構への給水配管中には、流体を分岐部で二方向にそれぞれ等条件の抵抗を与えて分配する等分配手段を設け、分岐された二系統の管路（配管）に高圧洗浄水を噴流させて供給し、前記給液分配制御機構を介して薬液材の管路の洗浄を行うことを特徴とする。【００１５】  またさらに、前記洗浄水の分岐された両給水配管中に圧力検出手段を設けて、その給水配管内検出圧力値により対応する注入ポイントまでの異常を検知できるようにするのがよい。【００１６】  次に、前記発明による薬液注入工法を実施するのに適用される本発明の薬液注入配管切換装置は、
薬液供給装置に洗浄水供給装置を併設し、前記薬液供給装置から複数箇所に配置される注入管への薬液供給を分配する給液分配制御機構に等分配手段を介して前記洗浄水供給装置の高圧ポンプから配管接続し、前記給液分配制御機構の制御操作によって選択された注入ポイント（注入管）への二系統の薬液材供給を水洗浄に切換えて高圧水の噴流により配管並びに注入管吐出部までの洗浄を容易にする構成としたことを特徴とするものである。【００１７】  そして、前記発明において、前記等分配手段は、高圧ポンプからの吐出流体を二系統に分岐する分岐部に両系統に対し等条件の抵抗を与える差圧発生体が設けてあることを特徴とするものである。なお、前記差圧発生体としては絞り口径を同一にした一対の噴射ノズルとするのがよい。
【発明の効果】
【００１８】  本発明の薬液注入工法によれば、改良対象地盤で複数箇所に設定した注入ポイントに注入管を貫入設置して、ごく少ない量の注入材注入を順次切換えて繰り返す多点インターバル注入を行って地盤を強化するに際し、多点インターバル注入による薬液材の分配供給に伴う切換え停止の繰り返しなどで、給液管路（ホース）に生じる固形分の滞留による閉塞、あるいは注入管吐出部周辺での注入後における時間の経過とともに発現する固結体の強度上昇による閉塞のため、継続注入が困難になるなどの障害の発生原因が生じないように、所定の時間をおいて選択した対応配管を高圧噴流によって水洗浄する工程を設け、運転を停止することなく円滑に、かつ注入管吐出部近傍での固結体の割裂浸透を洗浄水で助成し、効果的な注入作業を遂行できるという効果を奏する。【００１９】  また、本発明の薬液注入工法における配管切換装置によれば、多点インターバル注入方式で薬液注入を実施する過程で、各注入管への一対の給液配管（ホース）内に薬液材の供給から洗浄水の供給に切換えて、設定した一定時間高圧洗浄水を管路内に噴流させて管路内での滞留固形物を洗浄除去し、管路の閉塞を事前に予防するとともに、注入管先端の吐出部での注入材の固結による閉塞をなくし、洗浄水の圧力を利用して固結体部分に継続注入する注入材の浸透路の形成を誘引助成し、円滑に注入材の注入作業を遂行し、簡単な構成で経済効果を高め得る。
【図面の簡単な説明】
【００２０】
【図１】本発明の薬液注入工法の一実施形態を表す概要図である。
【図２】給液分配制御機構の構成を表す模式図である。
【図３】洗浄水の分配態様を表す模式図である。
【図４】洗浄水を二系統に等分配する等分配手段を表す断面図である。
【図５】給液分配制御機構の他の実施形態の構成を表す模式図である。
【発明を実施するための形態】
【００２１】  次に、本発明の薬液注入工法と、薬液注入配管切換装置の一実施形態を併せて図面を参照しつつ説明する。
【００２２】  この実施形態の薬液注入工法は、対象地盤の領域１に所定間隔で注入材の注入ポイントＰを複数箇所に配設して各注入ポイントＰに二重管構造の注入管１０を貫入設置する。その注入ポイントＰに別途設置した薬液供給装置２０から給液分配制御機構３０を介してそれぞれ位置の注入管１０に配管（ホース接続）し、薬液供給装置２０に併設した制御手段２３（制御盤）による指令で前記各注入ポイントＰへの注入材の供給を制御する。そして、前記薬液供給装置２０には洗浄水供給用高圧ポンプ２４（以下、「洗浄水ポンプ２４」という）を併設し、前記制御手段２６によって所定の条件で洗浄水ポンプ２４を作動して注入管１０への注入材の供給管路を洗浄操作に切換えると、注入操作の過程で設定した条件により一時的に高圧水洗浄し、管路中での薬液材の凝結を防止し、継続して円滑な注入作業が行えるようにする。
【００２３】  前記各注入ポイントＰに貫入設置された注入管１０（二重管構造）には、予めグループ分けした注入ポイントＰごとに、強化対象域外の地上適所に配置される薬液供給装置２０から対応させた給液分配制御機構３０を介して薬液材と硬化剤液とを配管１５Ａと配管１５Ｂによって別個に接続（一般にホースを使用）して供給する。ここで注入する注入材は、例えば薬液材として水ガラス系注入材（Ａ液）、硬化剤液としてセメント系注入材（Ｂ液）が用いられる。
【００２４】  前記薬液供給装置２０は、詳細について省略するが、水ガラス系注入材（Ａ液）とセメント系注入材（Ｂ液）とをそれぞれ調製することができ、これらＡ液とＢ液とを同時に個々の高圧送液ポンプ２１，２２によって圧送供給できるようにした設備機械が用いられる。また、この薬液供給装置２０は、付属する制御手段２３（コンピュータ）によって運転制御する制御盤を備えている。前記制御盤では、各注入箇所に設置の注入管１０に対する前記注入材の注入条件および後述する配管洗浄水の供給条件を任意に設定できる。
【００２５】  前記給液分配制御機構３０は、１グループごとに所定数の分配切換弁３１，３１（遠隔操作式三方切換弁）を一連に集合してブロック化したもので、薬液供給装置２０からＡ液とＢ液の配管１５Ａ，１５Ｂをそれぞれ接続する。この給液分配制御機構３０は、グループ化した１ブロックをＡ液用とＢ液用とを一対とする分配切換弁３１，３１が注入ポイントＰの数（例えば８か所あるいは４か所）に応じてそれぞれ一連に接続配管されるようになっており、制御手段２３（制御盤）からの指令によってそのうちの１組の弁だけが開き、このときほかの弁は閉じている仕組みとして、選択された注入管１０にのみ所定時間薬液材が供給され、注入管吐出部からの吐出により混合されグラウトとして地盤への注入が行われるようにされている。
【００２６】  前記給液分配制御機構３０には、図２に示すように、分配弁ブロック３２の給液側（ａ）とは反対側（ｂ）において、Ａ液流路とＢ液流路に対してそれぞれ洗浄水配管２５ａ，２５ｂが接続されている。そして、洗浄操作が選択されたときのみ洗浄水ポンプ２４を起動して、かつ対応する（選択された）一対の分配切換弁３１，３１のみを開くことにより、指定の注入ポイントＰへの配管１５ａ，１５ｂ並びに当該注入管１０の先端吐出部までが洗浄できるようにし、制御手段２３からの指令で対応する注入ポイントＰへの配管（ホース）および注入管１０の洗浄が必要となったときにのみ給水できるようにされている。
【００２７】  前記給液分配制御機構３０における各一対の分配切換弁３１，３１は、制御手段２３からの指令信号を受けたもののみ対応するアクチュエータ３１ａが操作されて同時に開閉するようにされている。また、洗浄水ポンプ２４が作動するときには、高圧送液ポンプ２１，２２の駆動が一時停止するように関係づけられ、誤作動を防止するようにされる。なお、前記分配切換弁３１は、制御手段による指令をエアまたは電気信号でアクチュエータ３１ａを操作するのが好ましい。
【００２８】  また、前記洗浄水ポンプ２４から給液分配制御機構３０までの洗浄水供給配管２５に設けられる等分配手段２６としては、図３および図４に例示するように、洗浄水ポンプ２４の吐出部に繋がる配管中に、二方向に分岐する分岐部２７を設け、この分岐部２７から二方向に分割された管路２５ａ，２５ｂ内に、それぞれ上流側から下流側に向って絞縮する噴射ノズル２８（本発明における「等条件の抵抗を与える差圧発生体」に相当する）を設け、分岐部２７内（上流側）と分岐された配管２５ａ，２５ｂ内（下流側）との間に大きな差圧が発生するようにされている。
【００２９】  前記等分配手段２６では、分岐部２７から分岐された両方の配管２５ａ，２５ｂに洗浄水ポンプ２４から供給される高圧の洗浄水が流動する過程において、噴射ノズル２８によって大きな差圧が生じるので、その差圧が両方の管路２５ａ，２５ｂに対して等しくなるように前記噴射ノズル２８の絞り口径を同一に合わせておくことにより、下流側に対して同じ条件で洗浄水が分配されて流動し、前記制御手段２３による選択で解放された分配切換弁３１，３１に接続する配管１５ａ，１５ｂから注入管１０へ高圧の洗浄水が送り込まれるようにされている。こうすることで、１台の洗浄水ポンプ２４を用いて二系統の洗浄水配管に等量の洗浄水を合理的に供給することができる。
【００３０】  また、前記洗浄水供給配管２５から等分配手段２６によって分岐された水配管２５ａ，２５ｂには、下流側にそれぞれ開閉弁３７と逆止弁３６（上流側へ閉止する）が設けられ、さらに圧力計４０，４０を付設して、管路内に流入した洗浄水を介して各注入ポイントＰまでの状況（後述する）の把握ができるようにされている。
【００３１】  前記薬液供給装置２０によって調製された薬液材Ａ液とＢ液とは、前記注入管１０に対してそれぞれ別個に配管１５ａ，１５ｂを通じて供給される。その各配管１５ａ，１５ｂ（ホース）は、途中において各注入管１０に対応させて前記給液分配制御機構３０の各組（一対）の分配切換弁３１，３１を介して給液配管１５ａ，１５ｂを通じ、各注入管１０に接続される。注入材（薬液材Ａ液とＢ液の合体したもの）の供給は、前記制御手段２３によって供給量（供給時間）と供給する注入ポイントＰへの注入手順を設定する。そして、設定したプログラムによって所要のインターバルで複数配置されている前記分配切換弁３１，３１を順次選択して切換え、かつ注入位置を巡回して順次各注入管１０に注入材の供給が行われるようにする。
【００３２】  次に本実施形態の施工態様を説明する。まず、対象領域内に所定数の注入ポイントを策定する。その後において各注入ポイントＰに注入管１０を貫入設置する。設置された注入管１０には、薬液供給装置２０の高圧送液ポンプ２１，２２から給液分配制御機構３０の対応する分配切換弁３１，３１を介して配管１５Ａ，１５Ｂで接続し、制御手段２３によって選択された位置の注入管１０に注入材が分配供給される。
【００３３】  薬液供給装置２０を駆動して注入操作を実施する。そして、通常時には制御手段２３にて予め設定されたプログラムによって、所定のインターバルで順次前記給液分配制御機構３０の分配切換弁３１，３１を選択し、切換え操作して選択された注入ポイントＰへ短い時間Ａ液とＢ液とが当該位置の注入管１０に供給され、所定回数設定量ずつ各注入ポイントＰに順次循環して繰り返し注入する多点インターバル方式で注入を行う。注入材は注入管１０の先端吐出部で合流・混合して地盤中に注入される。
【００３４】  こうして、注入材の注入により、地盤中には混合された注入材と土壌との結合によって次第に拡張された固結体３が造成される。このような態様が各注入ポイントＰで繰り返される間において、地中に形成される固結体３は、次第に隣接する土壌を押圧し、固結体３の周辺部にある空隙を埋めて圧密された強固な地盤２とすることができる。
【００３５】  このようにして注入材の注入作業が進行するうちに、配管として用いられているホース内では、各注入ポイントＰにおける注入管１０までの給液距離が長く、給液の切換によって供給が短時間での流動・停止の繰り返し、あるいは湾曲箇所が多くなっている状態であるために、薬液材の停滞による凝固現象の発生で流動不良が発生しやすくなる。
【００３６】  しかしながら、前述のように、洗浄水ポンプ２４から給液分配制御機構３０に洗浄水配管２５（２５ａ，２５ｂ）を接続して、制御手段２３において洗浄に関するプログラムを組み込み、給液配管（１５Ａ，１５Ｂ）の流動不良が発生するまでに配管の洗浄を行う時間を設定しておくことにより、注入管１０への給液を一旦停止して洗浄操作に切換え所定の注入管１０までの配管に洗浄水を短時間供給すれば、管路の洗浄を行うことができる。
【００３７】  この洗浄に際しては、薬液供給装置２０における高圧送液ポンプ２１，２２の駆動を一旦停止し、代わりに洗浄水ポンプ２４を駆動するとともに、給液分配制御機構３０において洗浄対象となる注入ポイントの注入管１０への管路のみを開く（対応する分配切換弁３１のみを開弁）。
【００３８】  こうすると、洗浄水供給用の１台の高圧ポンプ（洗浄水ポンプ２４）から送出される高圧の洗浄水が、等分配手段２６を経て分岐され、逆止弁３６，３６を押し開いて二系統の洗浄水配管２５ａ，２５ｂを通じて接続される液分配制御機構３０の給水入口から対応分配切換弁３１，３１に送り込まれ、そのまま注入管１０に繋がる配管１５ａ，１５ｂに送入される。この際、Ａ液とＢ液との両管路に対し同条件で洗浄水が送入される。
【００３９】  すなわち、洗浄水ポンプ２４から送出される高圧洗浄水は、等分配手段２６を経て管路２５ａ，２５ｂに分配され、給液分配制御機構３０のＡ液とＢ液の管路１５Ａ′、１５Ｂ′に供給される。前記等分配手段２６では、構成する分岐部２７で二方向に分岐された両管路２５ａ，２５ｂの下流側に向かって同一口径に絞縮した噴射ノズル２８が組み込まれているので、高圧ポンプから送入される高圧水が分岐部２７において二方に分岐された配管にそれぞれ設けられた噴射ノズル２８によって流路が絞縮され、大きな抵抗が生じるので、上流側（分岐部内）と下流側（接続される配管内）との間に大きな差圧が発生する。この差圧によって分岐部に送り込まれた高圧水は、両方の噴射ノズル２８を通過する際の流動抵抗による差圧の発生によってほぼ等しく分岐流動して両配管を通じ、給液分配制御機構３０の開弁している分配切換弁３１，３１を通じて対応する注入管１０への各配管１５ａ，１５ｂに送出される。
【００４０】  こうして供給される洗浄水は、洗浄対象となった配管に流入させることにより、前記噴射ノズル２８での絞縮で高速噴流となって管内（ホース内）を流動するので、その乱流によって管内壁に付着している固形分が削り落され、あるいはかき混ぜられて溶解し、洗浄水とともに押し流され、注入管１０を通じて地中に排出され、管路内を正常にすることができる。したがって、前記噴射ノズル２８を採用すれば、流体の速度エネルギーを活用できるので、差圧の発生による洗浄水の等分配のほかに、管路内で速度エネルギーを利用して管路に滞留する固形物の排除効果を合わせ得られる利点がある。
【００４１】  この洗浄水としては、清浄水を高圧ポンプ（洗浄水ポンプ２４）で２００〜２５０ｋｇ／ｃｍ２の圧力水として供給し、等分配手段２６で１００ｋｇ／ｃｍ２程度に減圧させて使用することにより、ホース（配管）内の狭窄状態を解消させることが可能になる。尤も被洗浄配管における凝固付着状態の程度により、前記よりも低い圧力での洗浄を行うこともできる。
【００４２】  前記配管の洗浄操作については、注入作業現場での作業状況によるが、予めこの洗浄操作について、注入操作の手順をプログラムする際に所定の手順で各注入ポイントへの配管に割り当てておくことにより、所定注入回数を経過すると洗浄を行うように設定すれば、注入材の滞留による管路の狭窄などを回避でき、円滑な注入作業を遂行できる。
【００４３】  また、前記配管の洗浄操作は、多点インターバルによる一連の注入操作の過程のほかに、ステップアップして注入を行う際、注入管引き上げ前の給液停止時に行うことで給液系統での支障を回避することができる。
【００４４】  さらに、注入管１０内先端部（吐出部）まで高圧水による洗浄で、多点インターバル方式の注入操作により吐出部付近に形成される固結体３が、増大するに伴って経過時間とともに発現強度が上昇するために吐出部付近を閉塞し、順次繰り返し継続注入できなくなるのを阻止する。そして、形成されつつある固結体３に注入管吐出部から洗浄水の噴出によって一部を割裂させて注入路を形成することができる。こうすることにより、巡回して次の注入操作時に、先の洗浄水により形成された割裂注入路を通じて注入材を地盤中に注入させることができ、注入効率を高めることができる。
【００４５】  なお、前記管路の洗浄に際しては、一旦注入材の供給を停止して洗浄水の供給を行うように、給液ポンプと洗浄水の高圧ポンプとの運転切換が行われるようにすることで、障害を起こすことはない。また、対応する注入ポイントへの配管の洗浄に要する時間は短くできるので、過度な洗浄水を使用せず、かつ注入操作の停滞を招くこともない。
【００４６】  一方、前記洗浄水配管には、等分配手段２６で配管２５ａ，２５ｂに分岐されて逆止弁３６が設けられた以降が、そのまま給液分配制御機構３０の給液管路１５Ａ，１５Ｂの端部に直結された状態になっているので、薬液材の供給時には洗浄水配管２５ａ，２５ｂ側に充満している水によって薬液材が洗浄水ポンプ２４まで逆流することはない。また、洗浄水は洗浄操作時に給液側が停止していて配管１５Ａ，１５Ｂ内に液が残留した状態にあるので、給液側に送り込まれることはなく、洗浄設定の管路にのみ流動して支障をきたすことはない。
【００４７】  また、前記洗浄水配管２５ａ，２５ｂにはそれぞれ圧力計４０が付設されているので、洗浄水供給時に設定値を大きく超える数値が表示されると、洗浄対象となっている配管１５ａ，１５ｂおよび対象位置の注入管を含めての配管系に異常が発生していることを察知することができる。したがって、洗浄水の供給圧力を少し高めるなどして規定値に戻るか否かにより改善対策を配慮するなど作業の継続性対策を立てることができる。
【００４８】  また逆に、給液（注入）操作中に洗浄水配管付設の圧力計４０にて注入時に給液の供給圧力状態が、洗浄水配管中に充満する水を媒体として表示させることができる。したがって、所定圧力状態を超える数値が表示された場合には、給液中の配管系に異常があることを知ることができる。このような場合、その表示値によって給液配管１５ａ，１５ｂ中に管路の狭窄や注入管１０の吐出部近傍の閉塞などが想定できるので、所定のプログラムに依ることなく、問題点を有するとみられる配管系の洗浄を行って回復させることも可能である。
【００５０】  要するに、洗浄水配管に付設した圧力計４０によって給液管路１５ａ，１５ｂの異常を検知して、その状況に応じた対応を行えば、注入作業を中止することなく作業現場で回復処理ができ作業の継続性を確保できるという効果が得られる。
【００５１】  本発明において、等分配手段２６における等条件の抵抗を与える差圧発生体としては、前記実施形態での噴射ノズルのほかに、管路中にオリフィスを設けることも可能である。
【００５２】  以上の説明では、図１で示されるように、洗浄水配管における等分配手段２６を薬液供給装置２０の近傍に配置する形式に代えて、図５に示すように、給液分配制御機構３０に併設することも可能である。なお、基本的に構成並びに機能は、前記実施形態のものと同一であるので、各部位の符号については前記実施形態のものと同一の符号を付し、詳細な説明を省略した。この場合は、給液分配制御機構３０に付設の等分配手段２６まで洗浄水配管２５を一系統で配管できて都合がよい。なお、圧力計４０の配置については、デジタル式の計器を用いて運転操作箇所まで配線するなど別途考慮する必要がある。
【００５３】  また、本発明の薬液注入工法において、注入管への配管洗浄に当たり、高圧水の供給のみならず、この際使用する洗浄水にアルカリ金属の水酸化物水溶液を混入して洗浄するようにすれば、注入材の使用によって発生する固形物のスケール付着を溶解除去する機能を付加できてより効果的であるといえる。  なお、洗浄水ポンプについては、二台使用して注入薬液材のＡ液とＢ液の配管に対応させるようにすれば、費用対効果が高くなる点で問題があるが、等分配手段を用いずに洗浄操作を行うこともできる。
【符号の説明】
【００５４】１０        注入管
１５Ａ，１５Ｂ    給液配管
１５ａ，１５ｂ    配管（ホース）
２０        薬液供給装置
２１，２２  高圧送液ポンプ
２４        洗浄水ポンプ
２５        洗浄水配管
２６        等分配手段
２７        分岐部
２８        噴射ノズル
３０        給液分配制御機構
３１        分配切換弁
３６        逆止弁
４０        圧力計
【図１】
2019023417.tif 000003
【図２】
2019023417.tif 000004
【図３】
2019023417.tif 000005
【図４】
2019023417.tif 000006
【図５】
2019023417.tif 000007